(57)【特許請求の範囲】
【請求項１】
演奏者の踏み込み動作に連動して打撃体が回動されるペダル装置を用いて演奏される打楽器部材と、その打楽器部材の全体および前記ペダル装置の少なくとも一部を床面から浮かせた状態で支持する支持部材とを備える打楽器支持構造体において、
前記打楽器部材と前記支持部材との間に介設されると共に弾性材料から構成される第１防振部材を備え、
前記打楽器部材は、前記ペダル装置の前記打撃体により打撃される打面を有する打面装置と、その打面装置から所定距離を隔てて配設されるペダル固定部を有し前記打面装置に連結される連結部材とを備え、
前記ペダル装置が前記ペダル固定部に固定された状態において、前記打楽器部材が前記支持部材に弾性支持されることを特徴とする打楽器支持構造体。
【請求項２】
前記第１防振部材は、前記ペダル固定部よりも前記打面に近接した位置に配設されることを特徴とする請求項１記載の打楽器支持構造体。
【請求項３】
前記第１防振部材は、前記打楽器部材の側面視において前記ペダル固定部の鉛直方向上側に配設されることを特徴とする請求項１又は２に記載の打楽器支持構造体。
【請求項４】
前記ペダル装置が載置されるペダル載置部と、そのペダル載置部および前記支持部材の間に介設されると共に弾性材料から構成される第２防振部材とを備え、
前記ペダル装置が前記ペダル載置部に載置された状態において、前記ペダル載置部の全体が、床面から浮かされつつ床面に対して前記支持部材に弾性支持されることを特徴とする請求項１から３のいずれかに記載の打楽器支持構造体。
【請求項５】
パイプ状に形成され一部が床面に接地されると共に複数の楽器が保持される複数のパイプ状部材と、それら複数のパイプ状部材を互いに連結するホルダとを備えるドラムスタンドに前記支持部材が接続され、
前記支持部材および前記打楽器部材の全体と前記ペダル装置の一部とが、床面から浮かされた状態で前記ドラムスタンドに支持されることを特徴とする請求項１から３のいずれかに記載の打楽器支持構造体。
【請求項６】
前記打楽器部材は、前記打面装置の前記打面が打撃されたことを検出するセンサを備える電子打楽器であることを特徴とする請求項１から５いずれかに記載の打楽器支持構造体。
【発明の詳細な説明】
【技術分野】
【０００１】
本発明は、打楽器支持構造体に関し、特に、床面へ伝達される振動を抑制しつつ、演奏時の安定感を確保できる打楽器支持構造体に関するものである。
【背景技術】
【０００２】
従来より、演奏者の踏み込み動作に連動して回動する打撃体（ビータ）を有するペダル装置を用いて演奏される打楽器が知られている。この打楽器を床面に対して支持する打楽器支持構造体について、ペダル装置を踏み込む際の衝撃や打楽器の振動が床面に伝達されることを抑制するための技術が開示されている。
【０００３】
例えば、特開平１１−２１２５６５号公報には、打面装置が左右の前脚８１と左右の後脚８２とを有する脚構造体８（支持部材）で支持され、左右の後脚８２を連結する連結棹８６にフットペダル装置６（ペダル装置）が先端側の底面を床面から浮かせた状態で取り付けられる打面装置の脚構造が開示されている（特許文献１）。この特許文献１によれば、フットペダル装置６のペダル踏み込み時の床面方向の力が複数本の脚（即ち、前脚８１、後脚８２）全部に分散されることで、床面の階下への騒音の発生が低減される。
【０００４】
また、特開平１１−２４６６０号公報には、振動吸収材から構成される設置部材２２を有する４つの脚部材１２と、その脚部材１２を介して床面に支持されると共にバスドラム３０（打面装置）及びペダル３２（ペダル装置）を搭載可能な台板１１とを備える防振台（支持部材）が開示されている（特許文献２）。この特許文献２によれば、ペダル３２を踏み込んだ際の衝撃が脚部材１２の設置部材２２を構成する振動吸収材により吸収されることで、床衝撃音が低減される。
【先行技術文献】
【特許文献】
【０００５】
【特許文献１】特開平１１−２１２５６５号公報(段落［００２７］，［００２８］など)
【特許文献２】特開平１１−２４６６０号公報(段落［００１２］，［００１４］など)
【発明の概要】
【発明が解決しようとする課題】
【０００６】
しかしながら、上述した特許文献１の打面装置の脚構造では、打面装置を安定的に支持するために脚構造体８を金属等の剛体から構成する必要があるので、脚構造体８が特定の周波数で振動した場合には、脚構造体８から床面へ伝達される振動が大きくなるという問題点があった。また、この脚構造体８の床面と接地する部分にゴム等の弾性材料を装着した場合、床面へ伝達される騒音が抑制されるものの、カーペット等が敷設された床面に脚構造体８を接地させると、弾性材料が弾性変形することで脚構造体８が安定せず、演奏時の安定感が損なわれるという問題点があった。
【０００７】
また、上述した特許文献２の防振台では、バスドラム３０及びペダル３２が搭載される台板１１全体が振動吸収効果を奏する脚部材１２に支持されるので、ペダル３２を踏み込むと、台板１１に搭載されたバスドラム３０及びペダル３２が脚部材１２の設置部材２２を構成する振動吸収材の作用により前後左右方向へ揺れ動き、バスドラム３０を演奏する際の安定感が損なわれるという問題点があった。
【０００８】
本発明は、上述した問題点を解決するためになされたものであり、床面へ伝達される振動を抑制しつつ、演奏時の安定感を確保できる打楽器支持構造体を提供することを目的としている。
【課題を解決するための手段および発明の効果】
【０００９】
請求項１記載の打楽器支持構造体によれば、打楽器部材全体が床面から浮かされた状態で第１防振部材を介して支持部材に弾性支持されるので、打面装置の打面がペダル装置の打撃体に打撃されたことによる打楽器部材の振動が第１防振部材に伝達される。第１防振部材は、弾性材料で構成されているので、打楽器部材から第１防振部材に伝達された振動を第１防振部材の防振作用により緩衝させることができる。よって、打楽器部材から支持部材に伝達される振動を低減させることができるので、支持部材の振動を小さくでき、その結果、支持部材から床面へ伝達される振動を小さくできるという効果がある。
【００１０】
また、ペダル装置の少なくとも一部が床面から浮かされた状態で第１防振部材を介して支持部材に弾性支持されるので、踏み込み動作によるペダル装置からの衝撃が床面に伝達されることを低減できる。また、ペダル装置が打楽器部材のペダル固定部に固定されており、そのペダル固定部を有する連結部材およびその連結部材に連結される打面装置を備える打楽器部材が第１防振部材を介して支持部材に弾性支持されるので、ペダル装置から打楽器部材へ伝達される振動を第１防振部材の防振作用により緩衝させることができる。よって、ペダル装置から床面へ振動が伝達されることを抑制できるという効果がある。
【００１１】
なお、第１防振部材を支持部材と床面との間に配設する場合では、支持部材の振動が第１防振部材に伝達されると、第１防振部材が弾性変形し、その第１防振部材の弾性変形により支持部材も揺れ動くので、演奏時における打楽器支持構造体の安定感が損なわれる。
【００１２】
これに対し、第１防振部材を支持部材と打楽器部材との間に配設することで、第１防振部材の防振作用により支持部材の振動を低減させて床面へ伝達される振動を抑制しつつ、支持部材を直接、床面に接地させて支持部材を床面に安定的に設置することができる。よって、演奏時における打楽器支持構造体の安定感を確保できるという効果がある。
【００１３】
請求項２記載の打楽器支持構造体によれば、請求項１記載の打楽器支持構造体の奏する効果に加え、第１防振部材がペダル固定部よりも打面装置に近接した位置に配設されるので、打撃体に打撃される打面と第１防振部材との高さ方向における離間寸法を小さくできる。よって、打面装置の打面がペダル装置の打撃体に打撃された際の衝撃で、第１防振部材を通る仮想直線周りの回転モーメントが打楽器部材に発生することを低減させることができる。よって、打面装置を打撃することによる打楽器部材の揺動を抑制できるという効果がある。
【００１４】
さらに、防振部材と打面装置の打面との高さ方向における離間寸法を小さくできるので、ペダル装置の打撃体に打撃された打面装置を支持する際に第１防振部材に作用する応力を低減させることができる。よって、第１防振部材の長寿命化を図ることができるという効果がある。
【００１５】
請求項３記載の打楽器支持構造体によれば、請求項１又は２に記載の打楽器支持構造体の奏する効果に加え、第１防振部材が打楽器部材の側面視においてペダル固定部の鉛直方向上側に配設されるので、ペダル装置が踏み込まれ、ペダル固定部が押し下げられる際に、第１防振部材を通る仮想直線周りの回転モーメントが支持部材に発生することを防止できる。
【００１６】
即ち、第１防振部材がペダル固定部よりもペダル装置が配設される側、または、ペダル装置が配設される側の反対側に位置している場合では、ペダル装置が踏み込まれ、ペダル固定部が押し下げられると、第１防振部材を通る仮想直線周りの回転モーメントが支持部材に発生する。
【００１７】
これに対し、第１防振部材が打楽器部材の側面視においてペダル固定部の鉛直方向上側に配設されることで、ペダル装置が踏み込まれ、ペダル固定部が押し下げられる際に、仮想直線周りの回転モーメントが支持部材に発生することを抑制できるので、支持部材の一部が床面から浮き上がることを抑制でき、演奏時における打楽器支持構造体の安定感を確保できるという効果がある。
【００１８】
請求項４記載の打楽器支持構造体によれば、請求項１から３のいずれかに記載の打楽器支持構造体の奏する効果に加え、ペダル装置がペダル載置部に載置された状態において、ペダル載置部の全体が床面から浮かされた状態で支持部材に支持されるので、ペダル装置の踏み込み動作によるペダル装置からの衝撃が床面に伝達されることを防止できる。よって、ペダル装置から床面へ振動が伝達されることを回避できるという効果がある。
【００１９】
さらに、ペダル載置部は、第２防振部材を介して支持部材に弾性支持されるので、ペダル装置の踏み込みによるペダル載置部の振動が第２防振部材に伝達される。第２防振部材が弾性材料で構成されているので、第２防振部材に伝達された振動を緩衝させることができる。よって、ペダル載置部から支持部材に伝達される振動を低減させることができるので、支持部材の振動を小さくでき、その結果、支持部材から床面へ伝達される振動を小さくできるという効果がある。
【００２０】
請求項５記載の打楽器支持構造体によれば、請求項１から３のいずれかに記載の打楽器支持構造体の奏する効果に加え、支持部材が他の打楽器部材を保持可能なドラムスタンドに接続され、支持部材および打楽器部材の全体とペダル装置の一部とが、床面から浮かされた状態でドラムスタンドに支持されるので、支持部材を床面に接地させるためのスペースをドラムスタンドとは別に確保することを不要とすることができるという効果がある。また、支持部材を床面に接地させる場合と比べて、支持部材の構造を簡素化できるので、支持部材の製造コストを削減できるという効果がある。
【００２１】
さらに、ドラムスタンドは、複数のパイプ状部材と、それら複数のパイプ状部材を連結するホルダとを備え、複数のパイプ状部材の一部が床面に接地するものであり、そのドラムスタンドに対して支持部材が接続されるので、支持部材からドラムスタンドに伝達された振動は、複数のパイプ状部材およびホルダを介して床面へ伝達される。よって、打楽器部材から床面までの振動伝達経路を長く確保できるので、打楽器部材から床面に伝達される振動をより低減させることができるという効果がある。
【００２２】
請求項６記載の打楽器構造体によれば、請求項１から５のいずれかに記載の打楽器支持体の奏する効果に加え、床面から支持部材に伝達される振動が第１防振部材に伝達され、その第１防振部材に伝達された振動を第１防振部材の防振作用により緩衝させることができる。よって、床面から打楽器部材に伝達される振動を低減させることができるので、床面から伝達される振動をセンサが誤って検知することを抑制できるという効果がある。
【図面の簡単な説明】
【００２３】
【図１】本発明の第１実施の形態における打楽器支持構造体の斜視図である。
【図２】（ａ）は、打楽器支持構造体の正面図であり、（ｂ）は、図２（ａ）のＩＩｂ方向視における打楽器支持構造体の側面図である。
【図３】（ａ）は、打楽器支持構造体の正面図であり、（ｂ）は、図３（ａ）のＩＩＩｂ方向視における打楽器支持構造体の側面図である。
【図４】打楽器支持構造体の側面図である。
【図５】（ａ）は、第２実施の形態における打楽器支持構造体の正面図であり、（ｂ）は、図５（ａ）のＶｂ方向視における打楽器支持構造体の側面図である。
【図６】（ａ）は、第３実施の形態における打楽器支持構造体の正面図であり、（ｂ）は、図６（ａ）のＶＩｂ方向視における打楽器支持構造体の側面図である。
【図７】（ａ）は、第４実施の形態における打楽器支持構造体の正面図であり、（ｂ）は、図７（ａ）のＶＩＩｂ方向視における打楽器支持構造体の側面図である。
【図８】第５実施の形態における打楽器支持構造体及びドラムスタンドの概略図である。
【図９】打楽器支持構造体の正面図である。
【発明を実施するための形態】
【００２４】
以下、本発明の好ましい実施の形態について添付図面を参照して説明する。まず、図１から図３を参照して、本発明の第１実施の形態における打楽器支持構造体１００の構成について説明する。図１は、本発明の第１実施の形態における打楽器支持構造体１００の斜視図であり、打楽器支持構造体１００にペダル装置１が固定された状態が図示されている。図２（ａ）は、打楽器支持構造体１００の正面図であり、図２（ｂ）は、図２（ａ）のＩＩｂ方向視における打楽器支持構造体１００の側面図である。図３（ａ）は、打楽器支持構造体１００の正面図であり、図３（ｂ）は、図３（ａ）のＩＩＩｂ方向視における打楽器支持構造体１００の側面図であり、図３（ａ）及び図３（ｂ）では、打楽器支持構造体１００にペダル装置１が固定された状態が図示されている。なお、図１及び図３では、ペダル装置１が模式的に図示され、例えば、ペダル部２への踏み込みが解除された際にペダル部２を元の位置へ戻すためのスプリング等の図示が省略されており、以下においても同様に図示されている。また、図１から図３における矢印Ｕ−Ｄ、Ｌ−Ｒ、Ｆ−Ｂは、打楽器支持構造体１００の上下方向、左右方向、前後方向をそれぞれ示しており、以下においても同様とする。
【００２５】
図１に示すように、打楽器支持構造体１００は、床面Ｆ（図２（ａ）参照）に接地される支持部材１０と、その支持部材１０に支持される打楽器部材２０と、その打楽器部材２０及び支持部材１０の間に介設される第１防振部材３０とを主に備えて構成されている。打楽器部材２０には、演奏者により踏み込み操作されるペダル装置１が固定され、そのペダル装置１の踏み込み操作によって打楽器部材２０による演奏がなされる。また、打楽器部材２０は、床面Ｆから浮いた状態で支持部材１０に支持され、打楽器部材２０に固定されたペダル装置１は、一部分が床面Ｆに対して浮いた状態で打楽器部材２０に支持されている。
【００２６】
図２（ａ）及び図２（ｂ）に示すように、支持部材１０は、打楽器部材２０を床面Ｆから浮かせた状態で床面Ｆに対して支持する金属製の部材であり、床面Ｆに接地される板状の下板１１と、その下板１１の上方に配設される板状の上板１２と、その上板１２及び下板１１を連結する棒状の脚部１３とを備えている。
【００２７】
下板１１は、打楽器部材２０が配設される前側が開口するコ字板状の下基部１１ａと、その下基部１１ａの前後左右方向の角部から前後方向外側へ延設される４つの下連結部１１ｂとを備え、下基部１１ａの下面側が床面Ｆに接地されると共に、下連結部１１ｂが下基部１１ａに対して上方へ傾斜している。
【００２８】
上板１２は、第１防振部材３０を介して打楽器部材２０が支持される部位であり、前側が開口するコ字板状の上基部１２ａと、その上基部１２ａの前後左右方向の角部から前後方向外側へ延設される４つの上連結部１２ｂとを備えている。上基部１２ａは、下基部１１ａに平行に配設され、左右方向における寸法が下基部１１ａと同等の寸法に設定される共に、前後方向における寸法が下基部１１ａよりも小さく設定されている。また、上連結部１２ｂは、上基部１２ａに対して上方へ傾斜しており、その傾斜角度が下連結部１１ｂの下基部１１ａに対する傾斜角度と同等に設定されている。
【００２９】
脚部１３は、上板１２を床面Ｆから所定の高さ位置に配設するための部材である。脚部１３は、下板１１の下連結部１１ｂ及び上板１１の上連結部１２ｂに対応する位置に合計４本配設され、下端が下連結部１１ｂに連結されると共に、上端が上連結部１２ｂに連結されている。
【００３０】
ここで、支持部材１０は、脚部１３の下端に下板１１が連結され、その下板１１の下基部１１ａが床面Ｆに接地されているので、脚部１３の下端が床面Ｆに接地される場合と比べて、支持部材１０の床面Ｆに対する接地面積をより広く確保できる。また、上板１２の上基部１２ａは、前後方向における寸法が下板１１の下基部１１ａよりも小さく形成されている。よって、下板１１の床面Ｆに対する接地面積を大きくして打楽器支持構造体１００の演奏時における安定感を確保しつつ、上板１２を小型化してスタンド１０の軽量化および部品コストの抑制を図ることができる。
【００３１】
また、下板１１は、床面Ｆに接地される下基部１１ａの下面をゴム状弾性体で覆設してもよい。これにより、下基部１１ａが接地される床面Ｆに傷が付くことを防止できる。なお、打楽器支持構造体１００は、第１防振部材３０により打楽器部材２０の振動を低減させるものであり、下板１１の下面を覆設するゴム状弾性体によって打楽器部材２０の振動を低減させることは不要なので、下板１１の下面を覆設するゴム状弾性体は、第１防振部材３０よりも弾性が小さいものが好ましい。即ち、下板１１の下面を覆設するゴム状弾性体の弾性を大きく設定した場合では、支持部材１０が前後左右方向に揺れ動きやすくなるので、打楽器支持構造体１００の安定感が損なわれる。よって、下板１１の下面を覆設するゴム状弾性体の弾性を小さく設定することで、床面Ｆに傷が付くことを防止しつつ、打楽器支持構造体１００の安定感を確保できる。
【００３２】
打楽器部材２０は、ペダル装置１（図１参照）を用いて打撃される打面２１ａを有する打面装置２１と、その打面装置２１に連結されると共に下方へ延設されるペダル連結部材２２と、打面装置２１に連結されると共に左右方向外側へ向けて水平方向に延設される一対の防振連結部材２３とを備えている。
【００３３】
打面装置２１は、内部に打面２１ａの振動を検出するセンサ（図示せず）が配設された、いわゆる電子打楽器である。打面２１ａが打撃されると、その打面２１ａの振動をセンサが検出し、そのセンサにより検出された検出信号は、音源に送信され、音源は、打撃に応じた楽音を生成するように構成されており、その生成された楽音は、アンプを介してスピーカから放音される。
【００３４】
ペダル連結部材２２は、打面装置２１とペダル装置１とを連結させるための部材であり、所定の剛性を有する金属で構成されている。ペダル連結部材２２は、その下端部分を打面２１ａが指向する前側へ屈曲させて形成されるペダル固定部２２ａを備えている。ペダル固定部２２ａは、ペダル装置１が固定される部位であり、上面には左右方向に延設される突起部２２ａ１が突出形成されている。これにより、ペダル固定部２２ａの曲げ剛性およびペダル装置１を固定する保持力を確保することができる。
【００３５】
一対の防振連結部材２３は、打面装置２１と支持部材１０とを連結させるための部材であり、所定の剛性を有する金属で構成されている。また、各防振連結部材２３は、上基部１２の左右方向における端部の下面と対向する位置まで延設され、その各防振連結部材２３の延設方向における先端部分は、前後方向における配設位置がペダル固定部２２ａと同等に位置している。
【００３６】
第１防振部材３０は、打楽器部材２０の振動を減衰するための部材であり、打楽器部材２０のペダル固定部２２ａを挟んで斜め上方に左右一対に設けられると共に、その左右一対に設けられる各第１防振部材３０がペダル固定部２２ａからの離間距離が等しい位置に配設されている。各第１防振部材３０は、ゴム状弾性体から円柱状に形成され、上端面が支持部材１０の上基部１２ａの下面側に取着されると共に、下端面が打楽器部材２０の一対の防振連結部材２３の左右方向外側の先端部分の上面側に取着される。これにより、各第１防振部材３０は、前後方向における配設位置がペダル固定部２２ａと同等に位置し、左右方向における配設位置が支持部材１０の下基部１１及び上基部１２の左右方向における端部と同等に位置し、高さ方向における配設位置が打面装置２１と同等に位置している。
【００３７】
ここで、一対の第１防振部材３０が打面装置２１に対して水平方向に近接して取着される場合では、打楽器部材２０を弾性支持する際に一対の第１防振部材３０に対して下方だけでなく、打楽器部材２０の前後方向を軸とする軸周りに回転させようとする力が加わりやすくなる。この場合、ペダル装置１の踏み込み時において打楽器部材２０を安定的に保持するためには、一対の第１防振部材３０を比較的弾性の小さいゴム状弾性体から構成して、ペダル装置１の踏み込み時における一対の第１防振部材３０の弾性変形量を小さくする必要があるので、一対の第１防振部材３０の防振作用が低減される。
【００３８】
これに対し、一対の第１防振部材３０を打面装置２１に連結される一対の防振連結部材２３の左右方向外側の先端部分に取着することで、打面装置２１と各第１防振部材３０との水平方向における離間寸法を大きく確保できるので、打楽器部材２０を弾性支持する際に打楽器部材２０の前後方向を軸とする軸周りに回転させようとする力を抑制できる。即ち、一対の第１防振部材３０は、下方へ作用する力による弾性変形によって打楽器部材２０が床面Ｆに接地することを防止できる弾性に設定されていればよいので、一対の第１防振部材３０を比較的弾性の大きいゴム状弾性体から構成した場合であっても、打楽器部材２０を安定的に保持しつつ、第１防振部材３０の防振作用を確保できる。
【００３９】
なお、本実施の形態では、一対の第１防振部材３０がゴム状弾性体で構成されているが、これに限られるものではなく、一対の第１防振部材３０が、スプリング又はダンパー等の振動を制振または減衰するもので構成されていてもよい。
【００４０】
図３（ａ）及び図３（ｂ）に示すように、ペダル装置１は、演奏者の踏み込みに応じて打楽器部材２０の打面２１ａを打撃する装置であり、演奏者に踏み込まれるペダル部２と、そのペダル部２を回動自在に軸支するペダル基部３と、そのペダル基部３に立設される立設部４と、その立設部４に回動自在に軸支される打撃体５とを備えている。
【００４１】
ペダル部２は、長手方向一側（図３（ｂ）右側）がペダル基部３に軸支されると共に長手方向他側（図３（ｂ）左側）が帯状のベルト６を介して立設部４に連結されている。
【００４２】
ペダル基部３は、長手方向一側（図３（ｂ）右側）に配設されるペダル軸支部３ａと、長手方向他側（図３（ｂ）左側）に配設される上下一対のペダル挟持部３ｂ１，３ｂ２とを備えている。ペダル軸支部３ａは、ペダル部２の長手方向一側を回動自在に軸支する部位である。一対のペダル挟持部３ｂ１，３ｂ２は、ペダル装置１を打楽器部材２０のペダル固定部２２ａに着脱自在に挟持固定するための部位であり、上側のペダル挟持部３ｂ１が下側のペダル挟持部３ｂ２に対して上下移動可能に構成され、上下一対のペダル挟持部３ｂ１，３ｂ２によってペダル固定部２２ａを挟持固定することでペダル装置１が打楽器部材２０に固定される。
【００４３】
立設部４は、ペダル基部３の長手方向他側に立設される一対の柱部材４ａと、それら一対の柱部材４ａに回転可能に保持される回転軸４ｂと、その回転軸４ｂの外周面に固着されると共にベルト６が連結されるベルト連結部４ｃと、回転軸４ｂに固着されると共に打撃体５が着脱自在に取着される打撃体取着部４ｄとを備えている。
【００４４】
打撃体５は、打面装置２１の打面２１ａを打撃するための部材であり、打面２１ａを打撃する頭部材５ａと、その頭部材５ａが一端に連結されると共に立設部４の打撃体取着部４ｄに他端が取着される棒状の棒部材５ｂとを備えている。
【００４５】
次に、図４を参照して、演奏時における打楽器部材２０の支持構造について説明する。図４は、打楽器部材２０の側面図であり、打楽器支持構造体１００に固定されたペダル装置１のペダル部２が踏み込まれ、打撃体５が打面装置２１の打面２１ａを打撃した状態が図示されている。
【００４６】
図４に示すように、演奏者によりペダル装置１のペダル部２が踏み込まれると、ペダル部２の長手方向他側が押し下げられると共にベルト６（図３（ａ）参照）が下方へ引っ張られ、ベルト６が連結された立設部４のベルト連結部４ｃが一方向（図４反時計回り方向）へ回動する。ベルト連結部４ｃが一方向へ回動すると、ベルト連結部４ｃが固着される回転軸４ｂ及びその回転軸４ｂに固着される打撃体取着部４ｄが一方向へ回動し、その打撃体取着部４ｄの回動に連動して打撃体５が一方向へ回動し、打撃体５の頭部５ａが打面装置２１の打面２１ａを打撃する。また、ペダル部２への踏み込みが解除されると、ペダル部２が上昇すると共に、回転軸４ｂ、ベルト連結部４ｃ、打撃体取着部４ｄ及び打撃体５が他方向（図４時計回り方向）へ回動し、ペダル装置１はペダル部２が踏み込まれる前の状態に戻る。
【００４７】
ペダル部２が踏み込まれた状態において、打楽器部材２０全体が床面Ｆから浮かされた状態で一対の第１防振部材３０を介して支持部材１０に弾性支持されるので、打面装置２１の打面２１ａがペダル装置１の打撃体５に打撃されたことによる打楽器部材２０の振動が第１防振部材３０に伝達される。第１防振部材３０は、ゴム状弾性体で構成されているので、打楽器部材２０から第１防振部材３０に伝達された振動を第１防振部材３０の防振作用により緩衝させることができる。よって、打楽器部材２０から支持部材１０に伝達される振動を低減させることができるので、支持部材１０の振動を小さくでき、その結果、支持部材１０から床面Ｆへ伝達される振動を小さくできる。
【００４８】
また、ペダル装置１の一部が床面Ｆから浮かされた状態で第１防振部材３０を介して支持部材１０に弾性支持されるので、ペダル部２への踏み込み動作によるペダル装置１からの衝撃が床面Ｆに伝達されることを低減できる。また、ペダル装置１がペダル固定部２２ａに固定されており、そのペダル固定部２２ａを有するペダル連結部材２２及びそのペダル連結部材２２に連結される打面装置２１が、第１防振部材３０を介して支持部材１０に弾性支持されるので、ペダル装置１から打楽器部材２０へ伝達される振動を第１防振部材３０の防振作用により緩衝させることができる。よって、ペダル装置１から床面Ｆへ振動が伝達されることを抑制できる。
【００４９】
さらに、床面Ｆ及びペダル装置１から支持部材１０に伝達される振動を第１防振部材３０の防振作用により緩衝させることができるので、床面Ｆ及びペダル装置１の振動が打面装置２１内のセンサに伝達されることを低減させることができる。よって、床面Ｆ及びペダル装置１から伝達される振動をセンサが誤って検知することを抑制できる。
【００５０】
なお、第１防振部材３０を支持部材１０と床面Ｆとの間に配設する場合では、支持部材１０の振動が第１防振部材３０に伝達されると、第１防振部材３０が弾性変形し、その第１防振部材３０の弾性変形により支持部材１０も揺れ動くので、演奏時における打楽器支持構造体１００の安定感が損なわれる。
【００５１】
これに対し、第１防振部材３０を支持部材１０と打楽器部材２０との間に配設することで、第１防振部材３０の防振作用により支持部材１０の振動を低減させて床面Ｆへ伝達される振動を抑制しつつ、支持部材１０を直接、床面Ｆに接地させて支持部材１０を床面Ｆに安定的に設置することができる。よって、演奏時における打楽器支持構造体１００の安定感を確保できる。
【００５２】
また、第１防振部材３０を打楽器部材２０の打面装置２１とペダル装置１との間に配設する場合、ペダル装置１のペダル部２の踏み込みを開始してから打撃体５が打面２１ａを打撃するまでの間に、打面装置２１とペダル装置１との相対位置がペダル部２への踏み込みにより生じる第１防振部材３０の弾性変形に伴って変動する。この場合、第１防振部材３０の弾性変形量はペダル部２への踏み込み力や踏み込み速度によって異なるので、打面装置２１とペダル装置１との相対位置の変動量がペダル部２への踏み込み力や踏み込み速度に応じて変動し、その変動量に応じて、打撃体５を回動させて打面２１ａを打撃するために必要なペダル装置１の踏み込み量も変動する。その結果、演奏者がペダル部２への踏み込みを開始してから打撃体５が打面２１ａを打撃するまでの時間が、ペダル部２への踏み込み力や踏み込み速度によって変動するため、演奏者は、適正なタイミングで安定的に打面２１ａを打撃することが困難になる。
【００５３】
これに対し、第１防振部材３０を支持部材１０と打楽器部材２０との間に配設し、打面装置２１とペダル装置１とが所定の剛性を有する金属性のペダル連結部材２２により連結されることで、ペダル部２への踏み込みを開始してから打撃体５が打面２１ａを打撃するまでの間、ペダル固定部２２ａに固定されるペダル装置１と打面装置２１との相対位置が第１防振部材３０の弾性変形により変動することを回避できる。よって、ペダル部２への踏み込み力や踏み込み速度にかかわらず、演奏者がペダル部２への踏み込みを開始してから打撃体５が打面２１ａを打撃するまでの時間の変動を抑制できるので、演奏者は、適正なタイミングで安定的に打面２１ａを打撃しやすくできる。
【００５４】
さらに、一対の第１防振部材３０がペダル固定部２２ａに対して左右に一対設けられると共に、各第１防振部材３０がペダル固定部２２ａからの離間距離が等しい位置に配設されるので、ペダル部２の踏み込みによりペダル固定部２２ａが押し下げられた際に、各第１防振部材３０に作用する荷重を均等にすることができる。よって、ペダル部２への踏み込みにより、一対の第１防振部材３０のいずれか一方に作用する荷重が、他方よりも大きくなることを低減させて、打楽器部材２０及びペダル装置１が左右いずれか一方に傾斜することを抑制できる。さらに、一対の第１防振部材３０を介して支持部材１０の左右いずれか一方に作用する荷重が他方よりも大きくなることを低減させることができるので、支持部材１０の左右いずれか一方が床面Ｆから浮き上がることを抑制できる。従って、演奏時における打楽器支持構造体１００の安定感を確保できる。さらに、打撃体５の頭部材５ａが打面２１ａの中心からずれた位置を打撃した場合に、打面装置２１が左右に揺動することを防止できる。
【００５５】
また、一対の第１防振部材３０の高さ位置が打面装置２１の高さ位置と同等に位置しているので、打面２１ａが打撃体５に打撃された際の衝撃で、一対の第１防振部材３０を結ぶ仮想直線Ｌ周りの回転モーメントが打楽器部材２０に発生することを低減させることができる。よって、打面装置２１を打撃することによる打楽器部材２０の揺動を抑制できる。
【００５６】
さらに、一対の第１防振部材３０が打面装置２１と同等の高さ位置に配設されるので、打撃体５に打撃された打面装置２１を支持する際に、第１防振部材３０に作用する応力を低減させることができる。よって、第１防振部材３０の長寿命化を図ることができる。
【００５７】
また、一対の第１防振部材３０の前後方向における配設位置がペダル固定部２２ａの前後方向における配設位置と同等に位置している。即ち、打楽器部材２０の側面視において一対の第１防振部材３０がペダル固定部２２ａの鉛直方向上側に位置しているので、ペダル部２が踏み込まれ、ペダル固定部２２ａが押し下げられる際に、仮想直線Ｌ周りの回転モーメントが支持部材１０に発生することを低減させることができる。
【００５８】
即ち、一対の第１防振部材３０がペダル固定部２２ａよりも前方または後方に位置している場合では、ペダル部２が踏み込まれ、ペダル固定部２２ａが押し下げられると、仮想直線Ｌ周りの回転モーメントが支持部材１０に発生する。
【００５９】
これに対し、一対の第１防振部材３０がペダル固定部２２ａの鉛直方向上側に位置することで、ペダル部２が踏み込まれ、ペダル固定部２２ａが押し下げられる際に、仮想直線Ｌ周りの回転モーメントが支持部材１０に発生することを抑制できるので、支持部材１０の前後いずれか一方が床面Ｆから浮き上がることを抑制でき、演奏時における打楽器支持構造体１００の安定感を確保できる。
【００６０】
さらに、打楽器部材２０は、支持部材１０に対して一対の第１防振部材３０を介して弾性支持されているので、第１防振部材３０の弾性変形を利用して、打楽器部材２０を支持部材１０に対して前後方向へ若干量揺動させることができる。よって、ペダル装置１をペダル固定部２２ａに固定させるためにペダル装置１に配設される固定部位の形状の差異を吸収するように第1防振部材３０を弾性変形させることによって、ペダル基部３の後端を床面Ｆに接地させつつ、ペダル基部３の前端を床面Ｆから浮かせることができる。即ち、ペダル装置１の固定部位の配設位置や固定角度が異なる様々なペダル装置１についても打楽器支持構造体１００を使用できるので、汎用性を高めることができる。
【００６１】
次に、図５を参照して、第２実施の形態について説明する。第１実施の形態では、第１防振部材３０の上端面が支持部材１０に取着されると共に第１防振部材３０の下端面が打楽器部材２０に取着される場合を説明したが、第２実施の形態では、第１防振部材２３０の上端面が打楽器部材２０に取着されると共に第１防振部材２３０の下端面が支持部材２１０に取着される。なお、上記した第１実施の形態と同一の部分には同一の符号を付して、その説明を省略する。図５（ａ）は、第２実施の形態における打楽器支持構造体２００の正面図であり、図５（ｂ）は、図５（ａ）のＶｂ方向視における打楽器支持構造体２００の側面図である。
【００６２】
図５（ａ）又は図５（ｂ）に示すように、打楽器支持構造体２００は、床面Ｆに接地される支持部材２１０と、その支持部材２１０に支持される打楽器部材２０と、その打楽器部材２０及び支持部材２１０の間に介設される第１防振部材２３０とを主に備えて構成されている。
【００６３】
支持部材２１０は、床面Ｆに接地される下板２１１と、その下板２１１の上方に配設される上板２１２と、その上板２１２及び下板２１１を連結する棒状の脚部２１３とを備えている。
【００６４】
下板２１１は、下基部１１ａと、その下基部１１ａの前後左右方向の角部において前後方向外側へ延設される下連結部２１１ｂとを備えている。また、上板２１２は、上基部１２ａと、その上基部１２ａの前後左右方向の角部において前後方向外側へ延設される上連結部２１２ｂとを備え、上基部１２ａは、左右方向における端部の上面が一対の防振連結部材２３の延設方向先端部分の下面と対向する位置に配設されている。
【００６５】
なお、下板２１１は、下連結部２１１ｂの下基部２１１ａに対する傾斜角度を除き、第１実施の形態における下板１１と同一の構成であり、上板２１２は、上連結部２１２ｂの上基部１２ａに対する傾斜角度を除き、第１実施の形態における上板１２と同一の構成である。さらに、脚部２１３は、長手方向の寸法を除き、第１実施の形態における脚部１３と同一の構成である。
【００６６】
第１防振部材２３０は、打楽器部材２０の振動を減衰するための部材であり、打楽器部材２０のペダル固定部２２ａを挟んで斜め上方に左右一対に設けられると共に、その左右一対に設けられる各第１防振部材２３０がペダル固定部２２ａからの離間距離が等しい位置に配設されている。各第１防振部材２３０は、ゴム状弾性体から円柱状に形成され、上端面が打楽器部材２０の防振連結部材２３の延設方向先端部分の下面側に取着されると共に、下端面が支持部材２１０の上基部１２ａの上面側に取着される。また、一対の第１防振部材２３０は、前後方向における配設位置がペダル固定部２２ａの配設位置と同等に位置し、左右方向における配設位置が支持部材２１０の下基部１１ａ及び上基部１２ｂの左右方向における端部の配設位置と同等に位置し、高さ方向における配設位置が打面装置２１の高さ位置と同等に位置している。
【００６７】
打楽器部材２０全体が床面Ｆから浮かされた状態で一対の第１防振部材２３０を介して支持部材１０に弾性支持されるので、打面装置２１の打面２１ａがペダル装置１の打撃体５に打撃されたことによる打楽器部材２０の振動が一対の第１防振部材２３０に伝達される。よって、打楽器部材２０から第１防振部材２３０に伝達された振動を第１防振部材２３０の防振作用により緩衝させることができる。従って、打楽器部材２０から支持部材２１０に伝達される振動を低減させることができるので、支持部材２１０の振動を小さくでき、その結果、支持部材２１０から床面Ｆへ伝達される振動を小さくできる。
【００６８】
次に、図６を参照して、第３実施の形態について説明する。第１実施の形態では、ペダル装置１の一部が床面Ｆから浮いているのに対し、第３実施の形態では、ペダル装置１の全体が床面Ｆから浮いている。なお、上記した各実施の形態と同一の部分には同一の符号を付して、その説明を省略する。図６（ａ）は、第３実施の形態における打楽器支持構造体３００の正面図であり、図６（ｂ）は、図６（ａ）のＶＩｂ方向視における打楽器支持構造体３００の側面図である。
【００６９】
図６（ａ）及び図６（ｂ）に示すように、打楽器支持構造体３００は、床面Ｆに接地される支持部材３１０と、その支持部材３１０に支持される打楽器部材２０と、その打楽器部材２０及び支持部材３１０の間に介設される第１防振部材３０と、ペダル装置１が載置されるペダル載置部３４０と、そのペダル載置部３４０及び支持部材３１０の間に介設される第２防振部材３３０とを備えている。
【００７０】
支持部材３１０は、打楽器部材２０を床面Ｆから浮かせた状態で床面Ｆに対して支持する金属製の部材であり、床面Ｆに接地される板状の下板３１１と、その下板３１１の上方に配設される板状の上板３１２と、その上板３１２及び下板３１１を連結する棒状の脚部３１３とを備えている。
【００７１】
下板３１１は、打楽器部材２０が配設される前側が開口するコ字板状の下基部３１１ａと、その下基部３１１ａの後方向に位置する左右角部から後方向へ延設される２つの後下連結部３１１ｂ１と、下基部３１１ａの前方向に位置する左右角部から前方向へ延設される２つの前下連結部３１１ｂ２とを備えている。下基部３１１ａは、床面Ｆに接地されると共に、後下連結部３１１ｂ１及び前下連結部３１１ｂ２が下基部３１１ａに対して上方へ傾斜しており、前下連結部３１１ｂ２の傾斜角度が後下連結部３１１ｂ１の傾斜角度よりも大きく設定されている。
【００７２】
上板３１２は、第１防振部材３０を介して打楽器部材２０が支持される部位であり、前側が開口するコ字板状の上基部３１２ａと、その上基部３１２ａの後方向に位置する左右角部から後方向へ延設される２つの後上連結部３１２ｂ１と、上基部３１２ａの前方向に位置する左右角部から前方向へ延設される２つの前上連結部３１２ｂ２とを備えている。上基部３１２ａは、左右方向における端部の下面が一対の防振連結部材２３の延設方向先端部分の上面と対向する位置に配設され、各第１防振部材３０は、上端面が上基部３１２ａの下面側に取着されると共に、下端面が打楽器部材２０の一対の防振連結部材２３の左右方向外側の先端部分の上面側に取着される。後上連結部３１２ｂ１及び前上連結部３１２ｂ２は、上基部３１２ａに対して上方へ傾斜しており、後上連結部３１２ｂ１及び前上連結部３１２ｂ２の上基部３１２ａに対する傾斜角度が、それぞれ後下連結部３１１ｂ１及び前下連結部３１１ｂ２の下基部１１ａに対する傾斜角度と同等に設定されている。
【００７３】
脚部３１３は、上板１２を床面Ｆから所定の高さ位置に配設するための部材である。脚部３１３は、打楽器部材２０の前後左右方向に合計４本配設され、下端が下板３１１の後下連結部３１１ｂ１に連結されると共に上端が上板３１２の後上連結部３１２ｂ１に連結される後脚部３１３ａと、下端が下板３１１の前下連結部３１１ｂ２に連結されると共に上端が上板３１２の前上連結部３１２ｂ２に連結される前脚部３１３ｂとを備えている。
【００７４】
ペダル載置部３４０は、ペダル装置１全体を床面Ｆから浮かせた状態で保持するための部材である。ペダル載置部３４０は、床面Ｆから浮かされた状態で一対の第２防振部材３３０に架設されると共に、左右方向における中心部分が下方へ向けて凹設されており、その凹設された部分にペダル装置１が載置される。これにより、ペダル装置１がペダル載置部３４０上で左右方向へ摺動することを抑制できる。なお、ペダル載置部３４０にペダル装置１を固定させるためのロック機構を設けてもよい。このロック機構としては、例えば、２つの部材でペダル基部３を挟持固定するものなどが例示される。
【００７５】
第２防振部材３３０は、ペダル載置部３４０の振動を減衰するための部材であり、下板３１１の下基部３１１ａの左右方向における後端部近傍において左右一対に設けられている。各第２防振部材３３０は、ゴム状弾性体から円柱状に形成され、下端面が下基部３１１ａの上面側に取着されると共に、上端面がペダル載置部３４０の下面側に取着され、ペダル載置部３４０が支持部材３１０に弾性支持される。なお、一対の第２防振部材３３０は、下基部３１１ａの上面側であって、前後方向における配設位置が、打楽器部材２０のペダル固定部２２ａと、下板３１１の前下連結部３１１ｂ２との間に位置していればよく、ペダル固定部２２ａよりも前下連結部３１１ｂ２に近接した位置に配設されることが好ましい。これにより、ペダル載置部３４０を支持部材３１０に対して安定的に支持することができる。
【００７６】
ペダル載置部３４０は、床面Ｆから浮いた状態で一対の第２防振部材３３０を介して支持部材３１０に弾性支持されるので、ペダル部２への踏み込み動作によるペダル装置１からの衝撃が床面Ｆに伝達されることを回避できる。また、ペダル部２への踏み込みによって発生するペダル載置部３４０の振動は第２防振部材３３０に伝達されるので、ペダル載置部３４０から第２防振部材３３０に伝達された振動を第２防振部材３３０の防振作用により緩衝させることができる。よって、ペダル載置部３４０から支持部材３１０に伝達される振動を低減させることができるので、支持部材３１０の振動を小さくでき、その結果、支持部材３１０から床面Ｆへ伝達される振動を小さくできる。
【００７７】
また、ペダル装置１と支持部材３１０の下基部３１１ａとの間に第２防振部材３３０が介設され、下基部３１１ａが床面Ｆに接地されるので、第２防振部材３３０を床面Ｆに接地させる場合と比べて、支持部材３１０を床面Ｆに安定的に設置することができる。よって、演奏時における打楽器支持構造体３００の安定感を確保できる。
【００７８】
さらに、ペダル装置１と支持部材３１０との間に第２防振部材３３０が介設されると共に、ペダル装置１と打面装置２１とが金属性のペダル連結部材２２に連結されているので、ペダル部２への踏み込みを開始してから打撃体５が打面２１ａを打撃するまでの間、ペダル固定部２２ａに固定されるペダル装置１と打面装置２１との相対位置が第２防振部材３３０の弾性変形により変動することを回避できる。よって、ペダル部２への踏み込み力や踏み込み速度にかかわらず、演奏者がペダル部２への踏み込みを開始してから打撃体５が打面２１ａを打撃するまでの時間の変動を抑制できるので、演奏者は、適正なタイミングで安定的に打面２１ａを打撃しやすくできる。
【００７９】
次に、図７を参照して、第４実施の形態について説明する。第１実施の形態では、ペダル装置１の一部が床面Ｆから浮いているのに対し、第４実施の形態では、ペダル装置１の全体が床面Ｆから浮いている。なお、上記した各実施の形態と同一の部分には同一の符号を付して、その説明を省略する。図７（ａ）は、第４実施の形態における打楽器支持構造体４００の正面図であり、図７（ｂ）は、図７（ａ）のＶＩＩｂ方向視における打楽器支持構造体４００の側面図である。
【００８０】
図７（ａ）及び図７（ｂ）に示すように、打楽器支持構造体４００は、床面Ｆに接地される支持部材４１０と、その支持部材４１０に支持される打楽器部材２０と、その打楽器部材２０及び支持部材４１０の間に介設される第１防振部材３０と、ペダル装置１が載置されるペダル載置部３４０と、そのペダル載置部３４０及び支持部材４１０の間に介設される第２防振部材４３０とを備えている。
【００８１】
支持部材４１０は、下板３１１と、上板３１２と、脚部３１３と、その脚部３１３に取着される防振取着部４１４とを備えている。防振取着部４１４は、第２防振部材４３０が取着される部材であり、下板３１１の前下連結部３１１ｂ２に連結される前脚部３１３ｂの下端部近傍に左右一対に設けられている。
【００８２】
第２防振部材４３０は、ペダル装置１の振動を減衰するための部材であり、ペダル載置部３４０の左右方向端部において左右一対に設けられている。各第２防振部材４３０は、ゴム状弾性体から円柱状に形成され、上端面が各防振取着部４１４の下面側に取着されると共に、下端面がペダル載置部３４０の上面側に取着され、ペダル載置部３４０が支持部材４１０に弾性支持される。なお、一対の防振取着部４１４及び一対の第２防振部材４３０は、少なくとも前後方向における配設位置が打楽器部材２０のペダル固定部２２ａと、前下連結部３１１ｂ２との間であればよく、ペダル固定部２２ａよりも前下連結部３１１ｂ２に近接した位置に配設されることが好ましい。これにより、ペダル載置部３４０を支持部材４１０に対して安定的に支持することができる。
【００８３】
ペダル載置部３４０は、床面Ｆから浮いた状態で一対の第２防振部材４３０を介して支持部材４１０に弾性支持されるので、ペダル部２への踏み込み動作によるペダル装置１からの衝撃が床面Ｆに伝達されることを回避できる。また、ペダル部２への踏み込みによって発生するペダル載置部３４０の振動は第２防振部材４３０に伝達されるので、ペダル載置部３４０から第２防振部材４３０に伝達された振動を第２防振部材４３０の防振作用により緩衝させることができる。よって、ペダル載置部３４０から支持部材４１０に伝達される振動を低減させることができるので、支持部材４１０の振動を小さくでき、その結果、支持部材４１０から床面Ｆへ伝達される振動を小さくできる。
【００８４】
また、ペダル装置１と支持部材４１０の前脚部３１３ｂとの間に第２防振部材４３０が介設され、下基部３１１ａが床面Ｆに接地されるので、第２防振部材４３０を床面Ｆに接地させる場合と比べて、支持部材４１０を床面Ｆに安定的に設置することができる。よって、演奏時における打楽器支持構造体４００の安定感を確保できる。
【００８５】
さらに、ペダル装置１と支持部材４１０との間に第２防振部材４３０が介設されると共に、ペダル装置１と打面装置２１とが金属性のペダル連結部材２２に連結されているので、ペダル部２への踏み込みを開始してから打撃体５が打面２１ａを打撃するまでの間、ペダル固定部２２ａに固定されるペダル装置１と打面装置２１との相対位置が第２防振部材４３０の弾性変形により変動することを回避できる。よって、ペダル部２への踏み込み力や踏み込み速度にかかわらず、演奏者がペダル部２への踏み込みを開始してから打撃体５が打面２１ａを打撃するまでの時間の変動を抑制できるので、演奏者は、適正なタイミングで安定的に打面２１ａを打撃しやすくできる。
【００８６】
次に、図８及び図９を参照して、第５実施の形態について説明する。第１実施の形態では、打楽器部材２０が、支持部材１０に弾性支持されていたが、第５実施の形態では、打楽器部材２０が他の打楽器を保持可能なドラムスタンド５５０に弾性支持される。なお、上記した各実施の形態と同一の部分には同一の符号を付して、その説明を省略する。
【００８７】
図８は、第５実施の形態における打楽器支持構造体５００の概略図であり、ドラムスタンド５５０に接続された打楽器支持構造体５００にペダル装置１が固定された状態が図示されている。図９は、打楽器支持構造体５００の正面図である。なお、図８及び図９では、連結ホルダ５５３及び接続ホルダ５５４が模式的に図示されている。
【００８８】
図８に示すように、ドラムスタンド５５０は、複数の楽器を床面Ｆ（図９参照）に対して支持する部材であり、床面Ｆに平行に配設される５本の平行パイプ部材５５１と、床面Ｆに立設される４本の立設パイプ部材５５２と、その立設パイプ部材５５２に平行パイプ部材５５１の端部を着脱自在に連結する連結ホルダ５５３と、平行パイプ部材５５１の外周面に着脱自在に取着される接続ホルダ５５４とを備えている。
【００８９】
接続ホルダ５５４には、楽器が接続可能なアーム部材５６０が着脱自在に取着され、演奏者は、接続ホルダ５５４を平行パイプ部材５５１に沿って摺動させたり、平行パイプ部材５５１周りに回転させることで、アーム部材５６０に接続される複数の楽器を演奏しやすい所望の位置に配置することができる。
【００９０】
打楽器支持構造体５００は、ドラムスタンド５５０に接続される支持部材５１０と、その支持部材５１０に支持される打楽器部材２０と、その打楽器部材２０及び支持部材５１０の間に介設される第１防振部材５３０とを主に備えて構成されている。
【００９１】
図９に示すように、支持部材５１０は、打楽器部材２０をドラムスタンド５５０に支持させるための部材であり、パイプ状に形成されると共に一端側（図９上側）が接続ホルダ５５４に着脱自在に固定されると共に、他端側の端面が一対の防振連結部材２３の延設方向先端部分の上面と対向する位置に配設されている。
【００９２】
第１防振部材５３０は、打楽器部材２０の振動を減衰するための部材であり、打楽器部材２０のペダル固定部２２ａを挟んで斜め上方に左右一対に設けられると共に、その左右一対に設けられる各第１防振部材５３０がペダル固定部２２ａからの離間距離が等しい位置に配設されている。各第１防振部材５３０は、ゴム状弾性体から円柱状に形成され、上端面が支持部材５１０の下端面に取着されると共に、下端面が打楽器部材２０の防振連結部材２３の延設方向先端部分の上面側に取着される。また、一対の第１防振部材５３０は、前後方向における配設位置がペダル固定部２２ａの配設位置と同等に位置し、高さ方向における配設位置が打面装置２１の高さ位置と同等に位置している。
【００９３】
支持部材５１０がドラムスタンド５５０に支持された状態において、支持部材５１０及び打楽器部材２０の全体およびペダル装置１の打楽器部材２０に固定される側（図９紙面垂直方向奥側）が床面Ｆから浮いた状態でドラムスタンド５５０に支持されている。打楽器部材２０全体が床面Ｆから浮かされた状態で第１防振部材５３０を介してドラムスタンド５５０に弾性支持されるので、打面２１ａがペダル装置１の打撃体２に打撃されたことによる打楽器部材２０の振動が第１防振部材５３０に伝達される。第１防振部材５３０は、ゴム状弾性体で構成されているので、第１防振部材５３０に伝達された振動を、第１防振部材５３０の防振作用により緩衝させることができる。よって、打楽器部材２０からドラムスタンド５５０に伝達される振動を低減させることができるので、ドラムスタンド５５０の振動を小さくでき、その結果、ドラムスタンド５５０から床面Ｆへ伝達される振動を小さくできる。
【００９４】
さらに、ペダル装置１の打楽器部材２０に固定される側が床面Ｆから浮かされた状態で第１防振部材５３０を介してドラムスタンド５５０に弾性支持されるので、踏み込み動作によるペダル装置１からの衝撃が床面Ｆに伝達されることを低減できる。また、ペダル装置１がペダル固定部２２ａ（図４参照）に固定されており、そのペダル固定部２２ａを有するペダル連結部材２２及びそのペダル連結部材２２に連結される打面装置２１を介してドラムスタンド５５０に弾性支持されるので、ペダル装置１から打楽器部材２０へ伝達される振動を第１防振部材５３０の防振作用により緩衝させることができる。よって、ペダル装置１から床面Ｆへ振動が伝達されることを抑制できる。
【００９５】
また、支持部材５１０は、床面Ｆから浮かされた状態で、他の打楽器が保持されるドラムスタンド５５０に接続されるので、ドラムスタンド５５０とは別に支持部材を床面に接地させるためのスペースを不要とすることができる。また、支持部材を床面に接地させる場合と比べて、支持部材５１０の構造を簡素化できるので、支持部材５１０の製造コストを削減できる。
【００９６】
さらに、打楽器部材２０から平行パイプ部材５５１に伝達される振動は、連結ホルダ５５３及び立設パイプ部材５５２を介して床面Ｆに伝達されるので、打楽器部材２０から床面Ｆまでの振動伝達経路を長く確保できる。よって、打楽器部材２０から床面Ｆに伝達される振動をより低減させることができる。
【００９７】
なお、連結ホルダ５５３及び接続ホルダ５５４を合成樹脂から構成することで、金属から構成される場合と比べて、連結ホルダ５５３及び接続ホルダ５５４に伝達される振動を緩衝させやすくすることができる。よって、打楽器部材２０から床面Ｆに伝達される振動をより低減させることができる。
【００９８】
以上、実施の形態に基づき本発明を説明したが、本発明は上記実施の形態に何ら限定されるものではなく、本発明の趣旨を逸脱しない範囲内で種々の改良変形が可能であることは容易に推察できるものである。
【００９９】
例えば、上記各実施の形態では、第１防振部材３０，２３０，５３０が、打楽器部材２０の一対の防振連結部材２３の左右方向外側の先端部分に取着される場合について説明したが、必ずしもこれに限られるものではなく、第１防振部材３０，２３０，５３０が、一対の防振連結部材２３の左右方向外側の先端部分よりも打面装置２１に近接した位置であって、ペダル固定部２２ａからの離間距離が等しい位置で左右一対に設けられてもよい。
【０１００】
さらに、上記各実施の形態では、打楽器部材２０が一対の防振連結部材２３を備え、その一対の防振連結部材２３に第１防振部材３０，２３０，５３０が取着される場合について説明したが、必ずしもこれに限られるものではなく、打楽器部材２０の打面装置２１に第１防振部材３０，２３０，５３０が取着されてもよい。これにより、一対の防振連結部材２３が不要となるので、部品コストを抑制できる。また、この場合、第１防振部材３０，２３０，５３０を打面装置２１の左右方向における中心部分に１つの第１防振部材３０，２３０，５３０を設けてもよい。これにより、第１防振部材３０，２３０，５３０を一対設けることが不要となるので、部品コストを抑制できる。さらに、打面装置２１の左右方向における中心部分に１つの第１防振部材３０，２３０，５３０を設ける場合には、その第１防振部材３０，２３０，５３０の左右方向における寸法を大きく確保することで、打楽器部材２０を安定的に保持することができる。
【０１０１】
また、上記各実施の形態では、一対の第１防振部材３０，２３０，５３０及び一対の第２防振部材３３０，４３０が、左右に各１個配設される場合について説明したが、必ずしもこれに限られるものではなく、一対の第１防振部材３０，２３０，５３０又は一対の第２防振部材３３０，４３０を、左右に各２個以上配設してもよい。これにより、一対の第１防振部材３０，２３０，５３０又は一対の第２防振部材３３０，４３０による防振作用をより向上させることができる。
【０１０２】
さらに、上記各実施の形態では、第１防振部材３０，２３０，５３０をペダル固定部２２ａに対して左右に一対設け、その左右一対の各第１防振部材３０，２３０，５３０をペダル固定部２２ａからの離間距離が等しい位置に配設する場合について説明したが、必ずしもこれに限られるものではなく、左右一対の各第１防振部材３０，２３０，５３０を打楽器部材２０の重心に対して回転モーメントが等しくなる位置に配設してあればよい。これにより、演奏時における打楽器支持構造体１００，２００，３００，４００，５００の安定感を確保できる。
【０１０３】
また、上記各実施の形態では、打面装置２１は、打面２１ａの振動を検出するセンサが配設された電子打楽器である場合について説明したが、必ずしもこれに限られるものではなく、打面装置が、センサを備えていない練習用の打楽器等であってもよい。練習用の打楽器としては、例えば、上記各実施の形態における打面装置２１からセンサを省略して構成したもの、打撃音を抑制するために打面をゴムやメッシュ等で構成したもの等が例示される。また、センサを備えていない打楽器支持構造体の他の使用例としては、センサを省略した打面装置を備える打楽器支持構造体と、打撃体の頭部に格納されたセンサを備えるペダル装置とが１組の電子打楽器として構成され、打撃体の頭部が打面装置の打面を打撃した際に発生する打撃体の頭部の振動をセンサが検出するものが例示される。
【符号の説明】
【０１０４】
１００，２００，３００，４００，５００      打楽器支持構造体
１                                          ペダル装置
５                                          打撃体
１０，２１０，３１０，４１０，５１０        支持部材
２０                                        打楽器部材
２１ａ                                      打面
２１                                        打面装置
２２                                        ペダル連結部材（連結部材）
２２ａ                                      ペダル固定部
３０，２３０，５３０                        第１防振部材
３３０，４３０                              第２防振部材
３４０                                      ペダル載置部
５５０                                      ドラムスタンド
５５１                                      平行パイプ部材（パイプ状部材の一部）
５５２                                      立設パイプ部材（パイプ状部材の一部）
５５３                                      連結ホルダ（ホルダの一部）
Ｆ                                          床面
Ｌ                                          仮想直線
【図１】
0005728371.tif 000002
【図２】
0005728371.tif 000003
【図３】
0005728371.tif 000004
【図４】
0005728371.tif 000005
【図５】
0005728371.tif 000006
【図６】
0005728371.tif 000007
【図７】
0005728371.tif 000008
【図８】
0005728371.tif 000009
【図９】
0005728371.tif 000010